(57)【要約】【目的】部品点数の増加やコストアップを招くことなく、簡単な構成でアーム取付部材を補強してその耐久性向上を図ることができる跳ね上げ式門扉の扉体支持構造を提供すること。【構成】一端が扉体の左右にそれぞれ取り付けられたパイプ状の上アーム３と下アーム４（金属製アーム）の各他端を、左右一対の各支柱５にそれぞれ回動可能に軸支された鋳物（又は樹脂製）のアーム取付部材７に嵌合固定することにより、前記扉体を前記アーム取付部材７の軸支部（回転軸６）を中心として上下に回動させてこれを開閉する跳ね上げ式門扉において、前記各アーム３，４の他端を前記アーム取付部材７にその軸支部を含んで嵌合固定する。【選択図】      図２
2004360412.tif 000002
【特許請求の範囲】
【請求項１】
一端が扉体の左右にそれぞれ取り付けられたパイプ状の金属製アームの各他端を、左右一対の各支柱にそれぞれ回動可能に軸支された鋳物又は樹脂製のアーム取付部材に嵌合固定することにより、前記扉体を前記アーム取付部材の軸支部を中心として上下に回動させてこれを開閉する跳ね上げ式門扉において、
前記各アームの他端を前記アーム取付部材にその軸支部を含んで嵌合固定したことを特徴とする跳ね上げ式門扉の扉体支持構造。
【請求項２】
前記各アームを上下２本の上アームと下アームでそれぞれ構成し、前記アーム取付部材を側面視Ｖ字状に成形して二股状を成す差込部を形成するとともに、一方の差込部に軸支部を設けたことを特徴とする請求項１記載の跳ね上げ式門扉の扉体支持構造。
【請求項３】
前記アーム取付部材に鋼製プレートをインサートしたことを特徴とする請求項１又は２記載の跳ね上げ式門扉の扉体支持構造。
【発明の詳細な説明】
【０００１】
【発明の属する技術分野】
本発明は、跳ね上げ式門扉において、アーム及びアーム取付部材を介して支柱に上下回動可能に支持される扉体の支持構造に関するものである。
【０００２】
【従来の技術】
ガレージの出入口等に設置される跳ね上げ式門扉は、一端が扉体の左右にそれぞれ取り付けられたパイプ状の金属製アームの各他端を、左右一対の各支柱にそれぞれ回動可能に軸支されたアーム取付部材に嵌合固定することにより、前記扉体を前記アーム取付部材の軸支部を中心として上下に回動させてこれを開閉するものである。
【０００３】
ところで、斯かる跳ね上げ式門扉において、前記アーム取付部材には、複雑な形状の成形が容易で成形精度も高いことから一般にはアルミダイカストや亜鉛ダイカスト等による鋳物が用いられている。
【０００４】
ところが、鋳物は鋼等に比して脆弱で耐衝撃性が低いため、扉体の開閉に伴う衝撃がアーム及び軸支部を経てアーム取付部材に伝播すると、その衝撃によってアーム取付部材にクラックや破断が発生してその耐久性が低下するという問題があった。
【０００５】
そこで、図１０及び図１１に示すように、鋳造製のアーム取付部材（ブラケット）１０７を鋼製プレート１２２によって補強する提案がなされている（特許文献１参照）。
【０００６】
即ち、図１０はアーム取付部材の支柱への取付構造を示す分解斜視図、図１１は鋼製プレートを取り付けて成るアーム取付部材の背面図であり、図１０において、１０５は支柱であり、この支柱１０５にアーム取付部材１０７が角柱状の回転軸１０６によって回動自在に軸支される。
【０００７】
ここで、アーム取付部材１０７は、軸支部１０７ａと該軸支部１０７ａからＶ字状に一体に突設された角柱状の差込部（アーム取付部）１０７ｂ，１０７ｃを有し、各差込部１０７ｂ，１０７ｃには角パイプ状のアーム（支持アーム）１０３（一方のみ図示）の一端が嵌合されてネジ固定されるが、該アーム取付部材１０７は、その背面に鋼製プレート１２２が重ね合わされて固定され（図１１参照）、この鋼製プレート１２２によって補強されて衝撃に伴うクラックや破断が防がれる。
【０００８】
【特許文献１】
特開２００２−３３９６７７号公報
【０００９】
【発明が解決しようとする課題】
しかしながら、上記提案に係る構成では、別部品を構成する鋼製プレート１２２を要するため、部品点数が増えるとともに、鋼製プレート１２２の取り付けに伴う工数が増えてコストアップを招くという問題があった。
【００１０】
本発明は上記問題に鑑みてなされたもので、その目的とする処は、部品点数の増加やコストアップを招くことなく、簡単な構成でアーム取付部材を補強してその耐久性向上を図ることができる跳ね上げ式門扉の扉体支持構造を提供することにある。
【００１１】
【課題を解決するための手段】
上記目的を達成するため、請求項１記載の発明は、一端が扉体の左右にそれぞれ取り付けられたパイプ状の金属製アームの各他端を、左右一対の各支柱にそれぞれ回動可能に軸支された鋳物又は樹脂製のアーム取付部材に嵌合固定することにより、前記扉体を前記アーム取付部材の軸支部を中心として上下に回動させてこれを開閉する跳ね上げ式門扉において、前記各アームの他端を前記アーム取付部材にその軸支部を含んで嵌合固定したことを特徴とする。
【００１２】
請求項２記載の発明は、請求項１記載の発明において、前記各アームを上下２本の上アームと下アームでそれぞれ構成し、前記アーム取付部材を側面視Ｖ字状に成形して二股状を成す差込部を形成するとともに、一方の差込部に軸支部を設けたことを特徴とする。
【００１３】
従って、請求項１又は２記載の発明によれば、鋳物又は樹脂製のアーム取付部材は、その軸支部を含む部分が既存の金属製アームによって補強されるため、新たに部品を追加する必要がなく、部品点数の増加やコストアップを招くことなく、簡単な構成でアーム取付部材を補強してその耐久性向上を図ることができる。
【００１４】
請求項３記載の発明は、請求項１又は２記載の発明において、前記アーム取付部材に鋼製プレートをインサートしたことを特徴とする。
【００１５】
従って、請求項３記載の発明によれば、アーム取付部材は金属製アームに加えて鋼製プレートによっても補強されるため、その耐久性が更に高められる。
【００１６】
【発明の実施の形態】
以下に本発明の実施の形態を添付図面に基づいて説明する。
【００１７】
＜実施の形態１＞
図１は本発明に係る跳ね上げ式門扉の側面図、図２は図１のＡ部拡大詳細図である。
【００１８】
本実施の形態に係る跳ね上げ式門扉１は、図１に示すように、矩形枠体状に成形された扉体２を、これの左右にそれぞれ取り付けられた上下一対のアーム３，４（図１には各一方のみ図示）を介して左右一対の支柱５（図１には一方のみ図示）に上下回動自在に軸支して構成されている。
【００１９】
ここで、上記扉体２は、アルミ製の各パイプを溶接して矩形枠状に成形され、その左右の縦枠２ａ（図１には一方のみ図示）の背面には上下一対の上アーム３と下アーム４の各一端（前端：図１の左方を前方とする）がそれぞれ取り付けられている。上アーム３と下アーム４は、断面矩形のアルミ製の角パイプで構成されており、上アーム３の一端（前端）は扉体２の各縦枠２ａの背面上部に直角に取り付けられており、該上アーム３は、扉体２から後方に向かって支柱５まで延びている。又、下アーム４の一端（前端）は扉体２の各縦枠２ａの背面中間部に斜めに取り付けられており、該下アーム４は、扉体２から上アーム３との間に角度θをなして後方に向かって斜め上方に支柱５まで延びている。
【００２０】
そして、各側の上アーム３と下アーム４の各他端（後端）は、図２に詳細に示すように、角柱状の回転軸６によって各支柱５の外側部に回動可能に軸支されたアーム取付部材７（一方のみ図示）に嵌合固定されている。尚、図１に示すように、扉体２の左右の縦枠２ａの背面下部には、扉体２の降下閉成時の衝撃を吸収緩和するためのショックアブソーバ８（一方のみ図示）がそれぞれ取り付けられている。
【００２１】
ところで、前記左右一対の支柱５は、断面矩形の金属製角パイプで構成されており、その下部が地中に埋設されて垂直に立設されている。そして、各支柱５の内部には、電動又は手動によって駆動される不図示の回動機構が内蔵されており、この回動機構によって回転駆動される前記回転軸６は各支柱５の外側面から側方に向かって水平に突出し、その端部に前記アーム取付部材７が挿通固定されている。
【００２２】
ここで、各アーム取付部材７の構成の詳細を図３〜図５に基づいて説明する。尚、図３はアーム取付部材の正面図、図４は図３の矢視Ｂ方向の図、図５は図３の矢視Ｃ方向の図である。
【００２３】
本実施の形態では、アーム取付部材７はアルミダイカストによって側面視Ｖ字状に成形された鋳物であって、これには二股状を成す角柱状の差込部７ａ，７ｂが一体に形成されており、両差込部７ａ，７ｂは連結部７ｃによって一体に連結されている。そして、両差込部７ａ，７ｂは、前記上アーム３と下アーム４がなす角度θと同角度θをなして前方（図３の左方）に向かってＶ字状に広がっており、一方（上方）の長尺の差込部７ａの連結部７ｃに近い基端部には、前記回転軸６が挿通嵌合するための四角孔状の挿通孔９が横方向（図３の紙面垂直方向）に貫設されている。又、図３及び図４に示すように、差込部７ａの先端部には２つのネジ孔１０が上下方向に貫設されている。
【００２４】
そして、図３に示すように、前記上アーム３の後端両側部の所定位置（当該上アーム３をアーム取付部材７の差込部７ａに差し込んだときに前記挿通孔９に合致する位置）には四角孔状の挿通孔１１が横方向に貫設されており、図４に示すように、同上アーム３の後端上下面（図４には上面のみ図示）の所定位置（当該上アーム３をアーム取付部材７の差込部７ａに差し込んだときに前記ネジ孔１０に合致する位置）には各２つの円孔１２が上下方向に貫設されている。
【００２５】
又、図３及び図５に示すように、アーム取付部材７の他方（下方）の差込部７ｂの長さ方向中間部には円孔１３が横方向に貫設されており、その両側にはネジ孔１４が同じく横方向に貫設されている。そして、前記下アーム４の後端側部の所定位置（当該下アーム４をアーム取付部材７の差込部７ｂに差し込んだときに前記円孔１３と前記ネジ孔１４にそれぞれ合致する位置）には１つの円孔１５と２つの円孔１６がそれぞれ横方向に貫設されている。
【００２６】
而して、扉体２の左右から後方に向かって延びる上下の上アーム３と下アーム４の各端部（後端部）は、アーム取付部材７の差込部７ａ，７ｂにそれぞれ差し込まれて固定される。
【００２７】
即ち、上アーム３の後端部はアーム取付部材７の上方の差込部７ａに図３及び図４の矢印方向から差し込まれて嵌合せしめられるが、このとき、該上アーム３の後端部に形成された前記挿通孔１１と円孔１２は、アーム取付部材７の差込部７ａに形成された前記挿通孔９と前記ネジ孔１０にそれぞれ合致する。
【００２８】
又、下アーム４の後端部はアーム取付部材７の下方の差込部７ｂに図３及び図５の矢印方向から差し込まれて嵌合せしめられるが、このとき、該下アーム４の後端部に形成された前記円孔１５，１６は、アーム取付部材７の差込部７ｂに形成された前記円孔１３と前記ネジ孔１４にそれぞれ合致する。
【００２９】
上記状態において、上アーム３の後端部の上下面に形成された各円孔１２に挿通するボルト１７をアーム取付部材７の差込部７ａに形成されたネジ孔１０に螺合してこれを締め付けることによって、図２に示すように、上アーム３の後端部がアーム取付部材７の差込部７ａに嵌合固定されるが、本実施の形態では、アーム取付部材７の差込部７ａの軸支部（回転軸６によって支持される部分）を含む全体に上アーム３の後端部が嵌合固定される。
【００３０】
又、図２に示すように、アーム取付部材７の差込部７ｂに差し込まれた下アーム４の後端部は、２本のビス１８によるロック部材１９との共締めによってアーム取付部材７の差込部７ｂに嵌合固定される。即ち、ロック部材１９の両端部と下アーム４の後端側部に形成された前記円孔１６に挿通するビス１８をアーム取付部材７の差込部７ｂに形成されたネジ孔１４に螺合してこれら締め付けることによって、下アーム４の後端部がアーム取付部材７の差込部７ｂに嵌合固定されるとともに、ロック部材１９が下アーム４の後端側部に取り付けられる。
【００３１】
而して、以上のようにして上アーム３と下アーム４の各後端部がアーム取付部材７の差込部７ａ，７ｂにそれぞれ嵌合固定されると、図２に示すように、アーム取付部材７の差込部７ａと上アーム３の後端部に形成された挿通孔９，１１に、各支柱５の外側部に水平に突出する前記回転軸６を挿通せしめ、回転軸６の端面に抜け止め用の円板状のカバー（ワッシャ）２０をビス２１によって固定することによって、左右の各アーム取付部材７が各支柱５に回動自在に軸支され、扉体２は、各アーム取付部材７にその後端部が嵌合固定された上アーム３と下アーム４を介して左右の支柱５に回転軸６を中心として上下に回動可能に支持される。
【００３２】
次に、以上の構成を有する跳ね上げ式門扉１の作用について説明する。
本実施の形態に係る跳ね上げ式門扉１においては、扉体２が図１に実線にて示すように垂直状態を保持しているときには降下閉成状態にあるが、車の出入り等に際して扉体２を開く必要があるときには、左右の支柱５の内部に内蔵された不図示の回動機構を電動又は手動にて駆動する。
【００３３】
すると、回転軸６が図１の時計方向に回転し、左右のアーム取付部材７と左右の上下アーム３，４及び扉体２が回転軸６を中心として一体に同方向に回動せしめられるため、扉体２は図示の円弧軌跡を描いて上方へと跳ね上げられ、図１に鎖線にて示すように上昇開成状態（水平状態）を維持する。従って、この状態で車の出入り等が可能となり、車の出入り等が終了すると、回転軸６を以上とは逆方向（図１の反時計方向）に回転駆動することによって、上昇開成状態（水平状態）にある扉体２が回転軸６を中心として下方に回動して図１に実線にて示す下降閉成状態に復帰する。尚、扉体２の降下閉成時の衝撃は、前記ショックアブソーバによって吸収緩和される。
【００３４】
以上において、本実施の形態においては、鋼等に比して脆弱で耐衝撃性が低い鋳物製のアーム取付部材７は、その軸支部を含む部分が既存の金属製（アルミニウム製）上アーム３によって補強されるため、新たに部品を追加する必要がなく、部品点数の増加やコストアップを招くことなく、簡単な構成でアーム取付部材７を補強してその耐久性向上を図ることができる。
【００３５】
尚、本実施の形態では、アーム取付部材７を金属鋳物（アルミ鋳物）で構成したが、これに代えて硬質プラスチック等の一体成形品で構成しても良い。
【００３６】
＜実施の形態２＞
次に、本発明の実施の形態２を図６〜図９に基づいて説明する。尚、図６はアーム取付部材の正面図、図７は図６の矢視Ｄ方向の破断面図、図８は図６の矢視Ｅ方向の破断面図、図９は鋼製プレートの正面図であり、図６〜図８においては図３〜図５に示したと同一要素には同一符号を付しており、以下、それらについての説明は省略する。
【００３７】
本実施の形態は、アーム取付部材７に鋼製プレート２２をインサートしたことを特徴とし、他の構成は前記実施の形態１のそれと同じである。
【００３８】
即ち、本実施の形態では、図６〜図８に示すように、アーム取付部材７の背面（支柱５に対向する面）に図９に示す鋼製プレート２２をインサートしており、このインサートはアーム取付部材７の鋳造時に鋼製プレート２２を同時に鋳込むことによってなされる。
【００３９】
ここで、鋼製プレート２２は、アーム取付部材７の形状に沿ってＶ字状に成形され、アーム取付部材に形成された挿通孔９、円孔１３及びネジ孔１４に対応する位置には、矩形の挿通孔２３、円孔２４，２５がそれぞれ形成されている。
【００４０】
而して、本実施の形態によれば、アーム取付部材７は金属製（アルミニウム製）アーム３に加えて鋼製プレート２２によっても補強されるため、その耐久性が更に高められるという効果が得られる。
【００４１】
【発明の効果】
以上の説明で明らかなように、本発明によれば、一端が扉体の左右にそれぞれ取り付けられたパイプ状の金属製アームの各他端を、左右一対の各支柱にそれぞれ回動可能に軸支された鋳物又は樹脂製のアーム取付部材に嵌合固定することにより、前記扉体を前記アーム取付部材の軸支部を中心として上下に回動させてこれを開閉する跳ね上げ式門扉において、前記各アームの他端を前記アーム取付部材にその軸支部を含んで嵌合固定したため、部品点数の増加やコストアップを招くことなく、簡単な構成でアーム取付部材を補強してその耐久性向上を図ることができるという効果が得られる。
【図面の簡単な説明】
【図１】本発明に係る跳ね上げ式門扉の側面図である。
【図２】図１のＡ部拡大詳細図である。
【図３】本発明の実施の形態１に係るアーム取付部材の正面図である。
【図４】図３の矢視Ｂ方向の図である。
【図５】図３の矢視Ｃ方向の図である。
【図６】本発明の実施の形態２に係るアーム取付部材の正面図である。
【図７】図６の矢視Ｄ方向の破断面図である。
【図８】図６の矢視Ｅ方向の破断面図である。
【図９】鋼製プレートの正面図である。
【図１０】アーム取付部材の支柱への取付構造の従来例を示す分解斜視図である。
【図１１】鋼製プレートを取り付けて成る従来のアーム取付部材の背面図である。
【符号の説明】
１          跳ね上げ式門扉
２          扉体
３          上アーム（金属製アーム）
４          下アーム（金属製アーム）
５          支柱
６          回転軸
７          アーム取付部材
７ａ，７ｂ  差込部
８          ショッアブソーバ
９          挿通孔
１０        ネジ孔
１１        挿通孔
１２，１３  円孔
１４        ネジ孔
１５，１６  円孔
１７        ボルト
１８        ビス
１９        ロック部材
２０        カバー
２１        ビス
２２        鋼製プレート
２３        挿通孔
２４，２５  円孔
【図１】
2004360412.tif 000003
【図２】
2004360412.tif 000004
【図３】
2004360412.tif 000005
【図４】
2004360412.tif 000006
【図５】
2004360412.tif 000007
【図６】
2004360412.tif 000008
【図７】
2004360412.tif 000009
【図８】
2004360412.tif 000010
【図９】
2004360412.tif 000011
【図１０】
2004360412.tif 000012
【図１１】
2004360412.tif 000013